(57)【要約】  本発明は、飲料調製マシン２０によってカプセルに液体が注入されると飲料が調製されるように設計されたカプセル１０に関し、カプセルは、飲料調製原材料を保持するためのカップ状基部本体１と、円弧状突出部４ａの内列４及び円弧状突出部５ａの外列５を備える封止部材３を有するフランジ様リム２と、を備え、基部本体とリムと封止部材とは、金属材料から一体的に作製されており、封止部材の内列及び外列は、封止部材の内列と外列との間にマシンのカプセル係合部材２１の封止面２１ａを受け入れるための環状空間部６を形成するようにリムの表面２ａ上に同心円状に配置されており、内列及び外列の突出部はそれぞれ、突出部間に形成された周方向に延びる間隙４ｂ、５ｂを有する連続的な突出部であり、内列の突出部と外列の突出部とは、カプセルの側面視において、内列及び外列の周方向に延びる間隙以外の部分で周方向に重なるように配置されている。【選択図】  図１ａ
2020515475.tif 000002
【特許請求の範囲】
【請求項１】
飲料調製マシンによってカプセルに液体が注入されると飲料が調製されるように設計されたカプセル（１０）であって、
飲料調製原材料を保持するためのカップ状基部本体（１）と、円弧状突出部（４ａ）の内列（４）及び円弧状突出部（５ａ）の外列（５）を備える封止部材（３）を有するフランジ様リム（２）と、を備え、
前記基部本体（１）と前記フランジ様リム（２）と前記封止部材（３）とは、アルミニウムなどの金属材料から一体的に作製されており、
前記封止部材（３）の前記内列及び前記外列（４、５）は、前記封止部材（３）の前記内列と前記外列（４、５）との間に前記飲料調製マシン（２０）のカプセル係合部材（２１）の封止面（２１ａ）を受け入れるための環状空間部（６）を形成するように前記フランジ様リム（２）の表面（２ａ）上に同心円状に配置されており、
前記内列及び前記外列（４、５）の前記円弧状突出部（４ａ、５ａ）はそれぞれ、前記円弧状突出部（４ａ、５ａ）間に形成された周方向に延びる間隙（４ｂ、５ｂ）を有する連続的な突出部であり、
前記内列（４）の前記円弧状突出部（４ａ）と前記外列（５）の前記円弧状突出部（５ａ）とは、前記カプセルの側面視において、前記内列及び前記外列（４、５）の前記周方向に延びる間隙（４ｂ、５ｂ）以外の部分で周方向に重なるように配置されている、
カプセル（１０）。
【請求項２】
前記円弧状突出部の前記内列及び前記外列（４、５）はそれぞれ、少なくとも２つの、好ましくは少なくとも３つ、４つ、５つ、又は６つの円弧状突出部（４ａ、５ａ）を備える、請求項１に記載のカプセル。
【請求項３】
前記円弧状突出部（４ａ、５ａ）同士の前記重なりは、重なっている前記突出部（４ａ、５ａ）それぞれの弧長（Ｌ）の少なくとも２０〜２５％、好ましくは３０〜３５％に等しい、請求項１又は２に記載のカプセル。
【請求項４】
前記円弧状突出部（４ａ、５ａ）同士の重なり角測長さは、５°〜９０°、好ましくは１０°〜７０°、最も好ましくは２０°〜６０°である、請求項１〜３のいずれか一項に記載のカプセル。
【請求項５】
（記載なし）
【請求項６】
前記内列（４）の前記円弧状突出部（４ａ）と前記外列（５）の前記円弧状突出部（５ａ）とは、前記突出部（４ａ、５ａ）間に周方向に延びる一定の間隙（４ｂ、５ｂ）を形成するように、前記基部本体の周縁において互いに等距離で配置されている、請求項１〜４のいずれか一項に記載のカプセル。
【請求項７】
前記円弧状突出部の前記内列及び前記外列（４、５）は、前記カップ状基部本体（１）と前記フランジ様リム（２）の外周（２ｃ）とから離れて配置されている、請求項１〜６のいずれか一項に記載のカプセル。
【請求項８】
前記円弧状突出部の前記内列と前記外列（４、５）との間の前記環状空間部（６）は突出部を全く有していない、請求項１〜７のいずれか一項に記載のカプセル。
【請求項９】
前記円弧状突出部の前記内列と前記外列（４、５）は、０．６〜１．２ｍｍ、より好ましくは０．８〜１．０ｍｍの半径方向距離（ｄ）で配置されている、請求項１〜８のいずれか一項に記載のカプセル。
【請求項１０】
前記内列（４）の前記突出部（４ａ）と前記外列（５）の前記突出部（５ａ）とは、側断面視において本質的に同じ寸法を有する、請求項１〜９のいずれか一項に記載のカプセル。
【請求項１１】
前記内列（４）の前記突出部（４ａ）及び前記外列（５）の前記突出部（５ａ）は、０．３〜１．３ｍｍ、好ましくは０．５〜１．０ｍｍの基部幅（ＢＷ）、及び／又は０．８〜１．７ｍｍ、好ましくは１〜１．５ｍｍの高さ（Ｈ）を有する、請求項１〜１０のいずれか一項に記載のカプセル。
【請求項１２】
前記突出部（４ａ、５ａ）それぞれは、側断面視において、２つの対向する直線的な壁部（ａ１、ａ２）を有する下側基部部分（Ｂ）と、２つの対向する丸みを帯びた壁部（ｂ１、ｂ２）を有する上側部分（Ａ）と、を備える、請求項１〜１１のいずれか一項に記載のカプセル。
【請求項１３】
前記上側部分（Ａ）の２つの対向する前記丸みを帯びた壁部（ｂ１、ｂ２）は、丸みを帯びた先端部分（Ｃ）によってつながっている、請求項１２に記載のカプセル。
【請求項１４】
２つの対向する前記直線的な壁部（ａ１、ａ２）は、前記突出部それぞれの前記上側部分（Ａ）に向かって互いに近づくように配置されている、請求項１２又は１３に記載のカプセル。
【請求項１５】
前記カプセル本体（１）と前記フランジ様リム（２）と前記封止部材（３）とは、初期は平坦な金属シートを深絞りすることにより製作されている、請求項１〜１４のいずれか一項に記載のカプセル。
【請求項１６】
前記カプセル（１０）はアルミニウムで作製されている、請求項１〜１５のいずれか一項に記載のカプセル。
【請求項１７】
前記カプセルは、前記カプセルの前記基部本体（１）に及び／又は前記フランジ様リム（２）に接続された閉鎖膜（９）を更に備える、請求項１〜１６のいずれか一項に記載のカプセル。
【請求項１８】
前記閉鎖膜（９）は、前記円弧状突出部の前記内列及び前記外列（４、５）が配置されている前記表面（２ａ）とは反対側の、前記フランジ様リム（２）の表面（２ｂ）に接続されている、請求項１７に記載のカプセル。
【請求項１９】
前記閉鎖膜（９）は、前記フランジ様リム（２）に封止されたアルミニウム箔である、請求項１７又は１８に記載のカプセル。
【請求項２０】
請求項１〜１９のいずれか一項に記載のカプセル（１０）と、加熱及び／又は加圧された液体を前記カプセル内に供給し、前記カプセル内に保持された原材料と前記液体とを相互作用させることにより飲料を調製するように設計された飲料調製マシン（２０）と、を備えるシステム。
【請求項２１】
飲料調製原材料を保持するためのカプセルのカップ状基部本体（１）、並びに円弧状突出部（４ａ）の内列（４）及び円弧状突出部（５ａ）の外列（５）を備える封止部材（３）を有するフランジ様リム（２）であって、
前記基部本体（１）と前記フランジ様リム（２）と前記封止部材（３）とは、アルミニウムなどの金属材料から一体的に作製されており、
前記封止部材（３）の前記内列及び前記外列（４、５）は、前記封止部材（３）の前記内列と前記外列（４、５）との間に飲料調製マシン（２０）のカプセル係合部材（２１）の封止面（２１ａ）を受け入れるための環状空間部（６）を形成するように前記フランジ様リム（２）の表面（２ａ）上に同心円状に配置されており、
前記内列及び前記外列（４、５）の前記円弧状突出部（４ａ、５ａ）はそれぞれ、前記円弧状突出部（４ａ、５ａ）間に形成された周方向に延びる間隙（４ｂ、５ｂ）を有する連続的な突出部であり、
前記内列（４）の前記円弧状突出部（４ａ）と前記外列（５）の前記円弧状突出部（５ａ）とは、前記カプセルの側面視において、前記内列及び前記外列（４、５）の前記周方向に延びる間隙（４ｂ、５ｂ）以外の部分で周方向に重なるように配置されている、
カップ状基部本体（１）並びにフランジ様リム（２）。
【発明の詳細な説明】
【技術分野】
【０００１】
本発明は、強化された封止手段を有する、飲料などの食料製品の調製用に設計されたカプセルに関する。特に、本発明は、一体成形された封止部材を備えた本体を有するカプセルに関し、この封止部材は、アルミニウムなどの金属材料からできている。
【背景技術】
【０００２】
飲料などの食料製品の調製用カプセルは市場で広く知られている。飲料調製マシンでの使用が意図されたこのようなカプセルの例は、欧州特許第０５１２４６８（Ａ１）号に記載されている。専用飲料調製マシンで飲料を調製する場合、カプセルをマシンに挿入し、カプセル内に入れられた原材料をカプセルに供給された液体と相互作用させて、所望の飲料を形成し、後にカプセルから出す。これにより、カプセルは、飲料調製マシンの支持部分に設けられた隆起した要素などの開口手段にカプセルの出口面を押しつけるカプセル内の上昇圧力の効果で開口される。飲料調製プロセス中のカプセルの封止は、飲料調製マシンの適切な形状の係合部材が周囲接触線に沿って接触するカプセルのフランジ様リムの外側部分により達成される。
【０００３】
カプセルと飲料調製マシンの係合部材との間の封止を強化するために、専用封止部材が適用され、封止部材がカプセル本体とは異なる材料のものであるカプセルが開発されてきた。例えば、欧州特許第１６５４９６６号、欧州特許第１８４９７１５号、及び欧州特許第２１５１３１３号は、カプセルにゴム弾性材料の封止部材が適用されたカプセルに関する。封止部材は、液体を堆積及び硬化すること、接着することによって、又はカプセル本体及び／又はカプセルのフランジ様リムの一部分を封止部材に圧着することによってカプセル本体に適用され得る。
【０００４】
これらのカプセルの欠点は、カプセルと封止部材が個別の製造工程で製造され、その後、組み立てられる、より複雑な製造プロセスである。この解決策はまた、材料コスト及び製造コスト両方の点において、コストが高い。したがって、容易な製造プロセスを可能にすると同時にカプセルのフランジ様リムの封止性能の向上をもたらす解決策が求められている。
【０００５】
一体成形された封止部材、すなわち、カプセルのカプセル本体又はフランジ様リムと同じ材料で作製された封止部材を備えるカプセルも知られている。欧州特許第２３０３０７７（Ｂ１）号、欧州特許第２３８７９２２（Ｂ１）号、欧州特許第２８１４３２８（Ｂ１）号は、例えば、フランジ様リムと一体成形された複数の同心環状突出部から形成された封止部材を備えるカプセルに関する。
【０００６】
国際公開第２０１４／０１２７８３号、国際公開第２０１４／１８４６５２号、国際公開第２０１６／１８６４８９号、国際公開第２０１６／１８６４９５号、及び国際公開第２０１６／１８６４９６もまた飲料調製用カプセルを開示しており、これらの飲料調製用カプセルは、一体成形された環状封止部材を有するフランジ様リム部を備える。
【０００７】
国際公開第２０１６２０７８４５号は、内側センタリング突出部及び外側センタリング突出部によって囲まれた単一の環状封止リングを有するフランジ様リムを備えるプラスチックカプセルに関し、センタリング突出部は、間隙によって周方向に分離され、飲料調製マシンの周方向封止縁部に対する封止リングの良好なセンタリングを提供するように設計された多数の円弧状要素を備える。
【０００８】
しかしながら、これら既知のカプセルには、封止部材の周方向に配置される突出部のせいで製造プロセスにおける突出部の成形中に張力が発生する場合があり、これが更には封止部材及び／又はフランジ様リムの欠陥につながり、封止部材の封止性能に悪影響を及ぼすという欠点がある。このことは特に、例えばアルミニウム製の金属カプセルに当てはまる。したがって、カプセルを形成する際の、アルミニウムの深絞りプロセス中に、応力亀裂、しわ、及び他の表面欠陥などの欠陥が生じる場合がある。加えて、周方向に配置された封止突出部は、同心度の課題を伴う、許容度の低い封止調整につながる可能性がある。
【発明の概要】
【０００９】
したがって、本発明の目的は、先行技術の解決策の欠点を克服する改良されたカプセルを提供することである。この目的は、独立請求項によって解決される。従属請求項は、本発明の更なる好適な実施形態を定義する。
【００１０】
本発明は、飲料調製マシンによってカプセルに液体が注入されると飲料が調製されるように設計されたカプセルに関し、カプセルは、飲料調製原材料を保持するためのカップ状基部本体と、円弧状突出部の内列及び円弧状突出部の外列を備える封止部材を有するフランジ様リムと、を備え、基部本体とフランジ様リムと封止部材とは、アルミニウムなどの金属材料から一体的に作製されており、封止部材の内列及び外列は、封止部材の内列と外列との間に飲料調製マシンのカプセル係合部材の封止面を受け入れるための環状空間部を形成するようにフランジ様リムの表面上に同心円状に配置されており、内列及び外列の円弧状突出部はそれぞれ、円弧状突出部間に形成された周方向に延びる間隙を有する連続的な突出部であり、内列の円弧状突出部と外列の円弧状突出部とは、カプセルの側面視において、内列及び外列の周方向に延びる間隙以外の部分で周方向に重なるように配置されている。
【００１１】
本発明によるカプセルは、単一の一体成形から作製することにより、したがって、ゴムなどの任意の追加材料を省略することにより、信頼性が高くかつ許容度のある封止構造体を可能にする。したがって、カプセルは、低コストの容易化された製造プロセスで形成することができると同時に、カプセル品質及び気密性に加えて抽出プロセスにも影響し得る亀裂、しわ、及び表面欠陥などのあらゆる材料欠陥のない強化された封止部材を提供する。
【００１２】
本願の意味における「重なる」という用語は、突出部の内列の円弧状突出部と外列の円弧状突出部とが、側面視（図４の方向ＳＶを参照）において少なくとも部分的に互いに覆い隠すように配置されていることに関連する。具体的には、側面図で見ると、突出部の外列の各円弧状突出部は、内列の円弧状突出部の間に形成された任意の間隙を覆い隠すように、突出部の内列の各円弧状突出部に少なくとも部分的にそれぞれ重なっている又はこれをそれぞれ覆い隠している。フランジ様リムの上面図では、各円弧状突出部は少なくとも部分的に半径方向に重なっている。
【００１３】
フランジ様リムは、カップ状基部本体の開放端部から基部本体の外側側壁に対して及び／又はカプセルの回転軸に対して本質的に垂直に延びる本質的に平面的なカラーであることが好ましい。円弧状突出部の内列及び外列は、カップ状基部本体とフランジ様リムの外周とから離れて配置されている。
【００１４】
封止部材の各突出部は、そうでなければ本質的に平面的なフランジ様リムに好ましくは一体成形されている。フランジ様リムに形成された突出部は、残りのフランジ様リムに本質的に対応する材料厚さを含むことが好ましい。
【００１５】
フランジ様リムの突出部は、深絞りプロセスによって作製されることが好ましい。好適な実施形態では、カプセル本体、フランジ様リム、及び封止部材は、単一の深絞りプロセスで製造される。カプセルは、例えば、初期は平坦な金属シートを深絞りすることにより製作されてもよい。
【００１６】
カプセルは、アルミニウムなどの単一の金属シートから作製されることが好ましい。
【００１７】
封止部材の内列及び外列の各円弧状突出部は、フランジ様リムの同じ表面上に配置されている。表面は、カプセルのカップ状基部本体の方に向いている。当該表面とは反対側のフランジ様リムの表面上では、閉鎖膜がカプセル基部本体に接続されていてもよい。
【００１８】
封止部材の内列及び外列の各円弧状突出部は、各列の各突出部の間に形成された間隙を有する連続的な突出部であることが好ましい。したがって、間隙は、内列及び外列の隣接する各円弧状突出部間に延びる環状間隙である。
【００１９】
円弧状突出部の内列及び外列はそれぞれ、少なくとも２つの、好ましくは少なくとも３つ又は４つの円弧状突出部を好ましくは備える。内列及び外列もまたそれぞれ、多数の円弧状突出部を備えてもよい。
【００２０】
突出部の内列及び外列の各円弧状突出部間の重なりは、重なっている各突出部の弧長Ｌの好ましくは少なくとも１０％に等しい、好ましくは少なくとも２０％に等しいが５０％未満である。このため、弧長Ｌは、突出部の内列及び外列の重なっている各円弧状突出部の最小弧長を指す。フランジ様リムの周縁に沿った各突出部の弧長は、突出部の内列及び外列両方の突出部の総数による。数が多くなるほどそれぞれの弧長は短くなる。
【００２１】
円弧状突出部同士の重なり角測長さ（overlap angular length）は、５°〜９０°、好ましくは１０°〜７０°、最も好ましくは２０°〜６０°である。
【００２２】
好適な実施形態では、内列の円弧状突出部と外列の円弧状突出部とは、突出部間に周方向に延びる一定の間隙を形成するように、基部本体の周縁において互いに等距離で配置されている。
【００２３】
円弧状突出部の内列と外列との間の環状空間部は、飲料調製マシンのカプセル係合部材の好ましくは環状の封止面を受け入れるように設計されている。係合部材は、好ましくは、カプセルのカップ状基部本体を収容するように設計された本質的に釣鐘状の係合部材又はいわゆるカプセルケージである。係合部材の封止面は、係合部材の平坦な又は丸みを帯びた端面であってもよい。
【００２４】
好適なモードでは、係合部材の封止面は、円弧状突出部の内列の突出部及び円弧状突出部の外列の突出部に係合するように配置されている。係合部材の封止面の係合は、突出部を少なくとも部分的に変形させることができるようなものであってもよい。係合部材の封止面の係合は、少なくとも実質的に半径方向に向けられた封止力を突出部とともに与えるようなものであってもよい。
【００２５】
円弧状突出部の内列と外列との間の環状空間部は、突出部が存在しないことが好ましい。環状空間部の底部は、好ましくは平坦環状部である。環状空間部の底部は、フランジ様リム部の上面に対応することが好ましい。
【００２６】
円弧状突出部の内列及び外列は、両者の間に環状空間部を形成するために、０．６〜１．２ｍｍ、より好ましくは０．８〜１．０ｍｍの半径方向距離ｄで配置されている。したがって、半径方向距離ｄは、カプセル係合部材の封止面を受け入れるための環状空間部の厚さに関係する。各円弧状突出部間の距離ｄは、環状封止面の半径方向幅Ｄ以下になるように選択されることが好ましい。
【００２７】
好適な実施形態では、半径方向距離ｄは、飲料調製マシンの係合部材の環状封止面の半径方向幅よりも少なくとも１〜２％、好ましくは少なくとも２〜５％小さくなるように選択される。
【００２８】
好適な実施形態では、内列の突出部と外列の突出部とは、側断面視において本質的に同じ寸法を有する。内列及び外列の各突出部は、同じ高さ及び／又は幅を含んでもよい。
【００２９】
しかしながら、各突出部は、異なる高さ及び／又は幅のものであってもよい。例えば、外列の突出部の高さは、内列の突出部の高さよりも低くてもよく、この逆の場合も同様である。例えば、外列の突出部の幅は、内列の突出部の幅よりも狭くてもよく、この逆の場合も同様である。
【００３０】
各内列又は外列の突出部の高さ及び／又は幅は、異なってもよい。
【００３１】
内列の突出部及び外列の突出部は、好ましくは０．３〜１．３ｍｍ、より好ましくは０．５〜１．０ｍｍの基部幅ＢＷ、及び／又は０．８〜１．７ｍｍ、より好ましくは１〜１．５ｍｍの高さＨを有する。
【００３２】
突出部それぞれは、側断面視において、２つの対向する好ましくは直線的な壁部を有する下側基部部分Ｂと、２つの対向する好ましくは丸みを帯びた壁部を有する上側部分Ａとを好ましくは備える。
【００３３】
上側部分Ａの２つの対向する丸みを帯びた壁部は、丸みを帯びた先端部分Ｃによって好ましくはつながっている。
【００３４】
２つの対向する直線的な壁部は、突出部それぞれの上側部分Ａに向かって互いに近づくように好ましくは配置されている。２つの対向する直線的な壁部は、フランジ様リムの法線に対して及び／又はカプセルの回転軸に対して好ましくは３〜１２°、より好ましくは５〜１０°の傾斜角で配置されている。
【００３５】
上側部分Ａの２つの対向する丸みを帯びた壁部は、好ましくは０．５〜５．５、より好ましくは１〜５ｍｍの半径Ｒ１を含む。
【００３６】
丸みを帯びた先端部分Ｃは、好ましくは０．２〜２．３ｍｍ、より好ましくは０．５〜２ｍｍの半径Ｒ２を含む。
【００３７】
下側部分Ｂの２つの対向する壁部は、厳密に直線的ではなく、わずかに凸状であってもよい。例えば、２つの対向する壁部Ａ及びＢは、先端部分Ｃに向かう方向に増加する曲率を持つ連続的な凸状壁部を共に形成してもよい。
【００３８】
カプセルは、カプセルの基部本体に及び／又はフランジ様リムに接続された閉鎖膜を好ましくは更に備える。閉鎖膜は、円弧状突出部の内列及び外列が配置されている表面とは反対側のフランジ様リムの表面に好ましくは接続されている。閉鎖膜は、接着剤及び／又は溶接技術によってフランジ様リムに接続されてもよい。閉鎖膜は、好ましくは、密閉された膜であり、すなわち穿孔を全く有しない。しかしながら、閉鎖膜はまた、閉鎖膜に予め形成された穿孔を備えてもよい。閉鎖膜は、好ましくはアルミニウム箔である。箔は、カートリッジ内に入れられた原材料の新鮮さを維持するためにカプセル基部本体とガスに対する気密性の封止を形成するようにフランジ様リムに対して好ましくは封止されている。
【００３９】
更なる態様では、本発明は、上記のカプセルと、加熱及び／又は加圧された液体をカプセル内に供給し、カプセル内に保持された原材料と液体とを相互作用させることにより飲料を調製するように設計された飲料調製マシンとを備えるシステムに関する。
【００４０】
飲料調製マシンは、ポンプ、加熱及び／若しくは冷却手段、水タンクなどの液体供給部、並びに／又はカプセルから飲料を調製するためにカプセルを選択的に受け入れるための飲料淹出チャンバを好ましくは備える。
【００４１】
飲料調製マシンは、例えば淹出チャンバの一部として、カプセル係合部材を好ましくは備えており、この淹出チャンバは、カプセル、特に、カプセルがマシンに提供されているときにはカプセル基部本体を収容するように設計されている。係合部材は、飲料調製プロセス中におけるカプセルの効果的な封止を可能にするために、カプセルの封止部材と相互作用するように設計された環状封止面を備える。前述のように、係合部材の封止面は、円弧状突出部の内列の突出部及び円弧状突出部の外列の突出部に係合するように配置されていてもよい。係合部材の封止面の係合は、突出部を少なくとも部分的に変形させることができるようなものであってもよい。係合部材の封止面の係合は、少なくとも実質的に半径方向に向けられた封止力を突出部とともに与えるようなものであってもよい。
【００４２】
飲料調製マシンは、注入ブレード等のような穿孔手段を好ましくは更に備えており、この注入ブレードは、特にカプセル基部本体の閉鎖端部に位置して、カプセルの入口面に穿孔し、及びカプセル内部に液体を注入するように設計されている。
【００４３】
飲料調製マシンは、マシンの係合部材がカプセルの封止部材に係合する側とは反対側にカプセルのフランジ様リムを保持するように設計されたカプセル支持体を好ましくは更に備える。カプセル支持体は、例えば角錐台状要素などの開口手段を好ましくは備え、カプセル内の圧力上昇中に、カプセルの閉鎖膜が、例えば引き裂き又は破断によって閉鎖部材を開口されるように、開口手段に押しつけられ得る。
【００４４】
本発明によるカプセルは、好ましくは回転対称である、すなわち、その垂直軸に沿って対称である。
【００４５】
カプセルの基部本体の厚さｔは、好ましくは０．３〜１．７ｍｍ、より好ましくは０．７〜１．３ｍｍである。閉鎖膜の厚さｔ１は、好ましくは６０〜１００マイクロメートルである（表面上のエンボス加工構造及びラッカーを含む）。
【００４６】
カプセル内に供給される飲料調製原材料は、焙煎し粉にしたコーヒー、茶、インスタントコーヒー、焙煎し粉にしたコーヒーとインスタントコーヒーとの混合物、シロップ濃縮物、果実抽出濃縮物、チョコレート製品、乳ベース製品、又は脱水された出汁などの任意の他の脱水食用物質からなる群から好ましくは選択される。飲料調製のために使用される液体は、任意の温度の水であることが好ましい。
【００４７】
本発明は更に、強化された一体成形封止部材を有する、食料製品を調製するためのカプセルのカップ状基部本体に関する。
【００４８】
本発明の更なる特徴、利点及び目的は、当業者には、以下の本発明を実施するための形態を読み、包含された図面の図と併せて解釈すると明らかになるであろう。
【図面の簡単な説明】
【００４９】
【図１ａ】本発明によるカプセルの好適な実施形態の斜視側面図である。
【図１ｂ】図１ａによるカプセルの上面図である。
【図２】本発明によるカプセルの好適な実施形態の概略上面図である。
【図３】本発明による封止部材の突出部の側断面図である。
【図４】互いに係合する前の本発明による封止部材の好適な実施形態及び飲料調製マシンの係合部材の図２の方向Ｓにおける側断面図である。
【図５】互いに係合する前の本発明による封止部材の好適な実施形態及び飲料調製マシンの係合部材の図２の方向Ｖにおける側断面図である。
【図６】互いに係合する前の本発明による封止部材の好適な実施形態及び飲料調製マシンの係合部材の図２の方向Ｔにおける側断面図である。
【発明を実施するための形態】
【００５０】
図１ａ及び図１ｂは、本発明によるカプセル１０の好適な実施形態に関する。カプセル１０はカップ状基部本体１を備える。基部本体１は、閉鎖端部１０ａ及び開放端部１０ｂを備える。閉鎖端部１０ａは、飲料調製プロセス中、飲料調製マシン２０の専用注入部材によって開口され得る注入面としての役割を果たしてもよい。
【００５１】
カプセル１０は、カプセル１０の開放端部１０ｂに好ましくは配置されたフランジ様リム２を更に備える。フランジ様リム２は、カップ状基部本体１の横方向側壁から半径方向外側に延び１てもよい。フランジ様リム２は、カプセル１０の回転軸Ｙに対して横断方向に好ましくは配置されている。
【００５２】
カプセル基部本体１の開放端部１０ｂに、閉鎖膜９が配置されていてもよい。閉鎖膜９はフランジ様リム２に好ましくは接続されている（図４を参照）。閉鎖膜９は、フランジ様リム２の少なくとも１つの下側環状表面２ｂに好ましくは接続されており、この表面２ｂは、カプセル基部本体１から遠ざかる方に向けられている。
【００５３】
カップ状基部本体１は、カプセル１０内に注入された液体と相互作用させると液体可食物を調製するのに適した飲料原材料を好ましくは封入する。原材料は、カップ状基部本体１と閉鎖膜９とによって好ましくは封入されている。飲料原材料は、焙煎し粉にしたコーヒー又は前述の他の種類の原材料であってもよい。
【００５４】
フランジ様リム２は、フランジ様リムの上側環状表面２ａに配置された一体成形された封止部材３を備える。環状表面２ａは、閉鎖膜９が好ましくは接続された表面２ｂとは反対側に配置されている。このため、環状表面２ａは、カプセルの開放端部１０ｂとは反対に面している。
【００５５】
封止部材３は、フランジ様リム２の表面２ａ上に同心円状に配置された円弧状突出部の内列及び外列４、５を備える。円弧状突出部の内列及び外列４、５はフランジ様リム２と一体成形されている。これは、円弧状突出部の内列及び外列４、５がフランジ様リムと同じ材料で、フランジ様リムの表面２ａから突出するように形成されている（付加部品ではない）ことを意味する。
【００５６】
円弧状突出部の内列及び外列４、５はそれらの間に、飲料調製マシン２０のカプセル係合部材２１の封止面２１ａを受け入れるための環状空間部６を形成するように配置されている（図４を参照）。したがって、内列４と外列５との間の半径方向距離ｄは、突出部が係合部材２１の専用封止面２１ａと封止係合して適切に相互作用するように好ましくは選択される。より具体的には、重なり領域（図４）では、専用封止面は、実際に、外列の突出部４ｂに係合する封止面部分２１ａａと内列の突出部４ａに係合する封止面部分２１ａｂとに分割されている。半径方向距離ｄは、好ましくは０．６〜１．２ｍｍ、より好ましくは０．８〜１．０ｍｍである。内列４と外列５との間の環状空間部６は、突出部が存在しないことが好ましい。したがって、環状空間部６は、内列及び外列４、５の隣接する円弧状突出部を相互接続する本質的に平坦な底面２ｄを好ましくは備える。
【００５７】
カップ状基部本体１とフランジ様リム２と封止部材３とは一体成形、すなわち、同じ材料から作製された１つの単一部品によって形成されている。したがって、カップ状基部本体１とフランジ様リム２と封止部材３とは、形成プロセスによって同じ材料から製造することができる。特に、基部本体１とフランジ様リム２と一体成形された封止部材３とは、深絞りプロセスで形成することができる。深絞りプロセスは、カプセルの本体及び封止部材を平坦な材料片から適切に形成するために２つ以上の深絞り工程を必要とする場合がある。
【００５８】
基部本体１とフランジ様リム２と封止部材３とは、一体的成形の、金属、好ましくはアルミニウム、最も好ましくはアルミニウム合金製の１つの部品から形成されている。
【００５９】
円弧状突出部の内列及び外列４、５は、好ましくは、表面２ａ上で、フランジ様リム２の外周縁又は外端部２ｃから離れて配置されている。内列及び外列４、５は更に、カプセル１のカップ状基部本体１から離れて配置されている。円弧状突出部の内列及び外列４、５は、外端部２ｃよりもカップ状の本体１の方により近いフランジ様リム２の表面２ａの環状部に好ましくは配置されている。フランジ様リム上における円弧状突出部の内列と外列の相対位置は、当然のことながら、係合部材の寸法によって決定される封止面に一致する位置に依存する。
【００６０】
円弧状突出部の内列及び外列４、５はそれぞれ、カプセル１０の回転軸Ｙを中心とする既定の半径に配置された個々の円弧状突出部４ａ、５ａを備える。円弧状突出部の内列及び外列４、５はそれぞれ、好ましくは少なくとも２つの、より好ましくは少なくとも３つ、４つ、５つ、又は６つの円弧状突出部４ａ、５ａを備える。内列及び外列４、５の各円弧状突出部４ａ、５ａはそれぞれ、それらの間に形成された間隙４ｂ、５ｂを有する連続的な突出部であることが好ましい。
【００６１】
内列４の円弧状突出部４ａと外列５の円弧状突出部５ａとは、カプセルの側面視において重なるように配置されている。したがって、カプセルの側面視において、外列５の各円弧状突出部５ａは、内列４の各円弧状突出部４ａの間に形成された周方向に延びる間隙４ｂに重なり、この逆もまた同様である。円弧状突出部４ａ、５ａ同士の重なりは、重なっている突出部４ａ、５ａそれぞれの弧長Ｌの好ましくは少なくとも２０〜２５％、より好ましくは３０〜３５％に等しい。したがって、上面図で見ると、内列及び外列４、５の各円弧状突出部４ａ、５ａはフランジ様リム２の３６０°の周縁に沿って異なる角度で配置されている。
【００６２】
内列４の円弧状突出部４ａ及び外列５の円弧状突出部５ａはそれぞれ、突出部４ａ、５ａ間に周方向に延びる一定の間隙４ｂ、５ｂを形成するように、基部本体の周縁において互いに等距離で配置されていてもよい。
【００６３】
図２は、カプセル１０の各半径が示される、本発明によるカプセル１０の概略上面視に関する。図２に示すように、カプセル基部本体１とフランジ様リムはｒ１と示される周縁部で結合し、この半径は、好ましくは１２〜１８ｍｍ、最も好ましくは１５ｍｍである。外端部２ｃにおけるフランジ様リム２の外半径ｒ６は、好ましくは１８〜２０ｍｍ、最も好ましくは１８．５ｍｍである。
【００６４】
ｒ２とｒ３との間の差は、突出部の内列４の円弧状突出部４ａ及び各中間間隙４ｂの半径方向拡張部に相当し、好ましくは０．３〜１．３ｍｍ、より好ましくは０．５〜１．０ｍｍである。
【００６５】
ｒ４とｒ５との間の差は、突出部の外列５の円弧状突出部５ａ及び各中間間隙５ｂの半径方向拡張部に相当し、好ましくは０．３〜１．３ｍｍ、より好ましくは０．５〜１．０ｍｍである。
【００６６】
ｒ３とｒ４との間の差は、上記のように、円弧状突出部４ａ、５ａの半径方向拡張部又は半径方向距離ｄに相当する。半径方向距離ｄの特に好ましい値は０．７〜１．１ｍｍであり、最も好ましくは０．９ｍｍである。
【００６７】
円弧状突出部同士の重なり角測長さのΔは、５°〜９０°、好ましくは１０°〜７０°、最も好ましくは２０°〜６０°である。
【００６８】
図３は、円弧状突出部４ａ、５ａの例示的実施形態の側断面視に関する。円弧状突出部４ａ、５ａは、側断面視において本質的に同じ寸法を好ましくは有する。しかしながら、円弧状突出部４ａ、５ａは、側断面視において異なる寸法を有することもできる。
【００６９】
突出部４ａ、５ａそれぞれは、２つの対向する直線的な壁部ｂ１及びｂ２を有する下側基部部分Ｂと、２つの対向する丸みを帯びた壁部ａ１及びａ２を有する上側部分Ａとを好ましくは備える。上側部分Ａの２つの対向する丸みを帯びた壁部ａ１及びａ２は、丸みを帯びた先端部分Ｃによって好ましくはつながっている。
【００７０】
２つの対向する直線的な壁部ｂ１、ｂ２は、突出部４ａ、５ａそれぞれの上側部分Ａに向かって互いに近づくように好ましくは配置されている。２つの対向する直線的な壁部ｂ１、ｂ２は、フランジ様リム２の法線Ｎに対して及び／又はカプセル１０の回転軸Ｙに対して好ましくは３〜１２°、より好ましくは５〜１０°の傾斜角αで配置されている。
【００７１】
上側部分Ａの２つの対向する丸みを帯びた壁部ａ１、ａ２は、好ましくは０．５〜５．５、より好ましくは１〜５ｍｍの半径Ｒ１を含む。丸みを帯びた先端部分Ｃは、好ましくは０．２〜２．３ｍｍ、より好ましくは０．５〜２ｍｍの半径Ｒ２を含む。
【００７２】
各突出部４ａ、５ａの基部幅ＢＷは、好ましくは０．３〜１．３ｍｍ、より好ましくは０．５〜１．０ｍｍである。高さＨは、好ましくは０．８〜１．７ｍｍ、より好ましくは１〜１．５ｍｍである。
【００７３】
基部部分Ｂは、全高Ｈの１／３〜１／２の高さｈ１まで延びることが好ましい。同様に、上側部分Ａは、全高Ｈの２／３〜１／２の高さｈ２まで延びてもよい。
【００７４】
突出部４ａ、５ａは、フランジ様リムの表面２ａとのより滑らかな移行を確実にするために、漸進的に減少する寸法の自由端７ａ、７ｂを備えてもよい。これら自由端７ａ、７ｂにおける幅ｒ３−ｒ２、幅ｒ５−ｒ４、及び高さＨは、周方向に延びる間隙４ｂ、５ｂに向かって漸進的に減少することが好ましい。特に、図２に示すように、これら端部７ａ、７ｂの形状は、上からフランジ様リムの方向に見たときに、わずかに三角形であってもよく、又は丸みを帯びていてもよい。結果的に、突出部の形成は容易になり、亀裂又はしわのリスクは低下する。
【００７５】
図４は、互いに係合する前のカプセル１０の封止部材３の好適な実施形態及び飲料調製マシン２０の係合部材２１の側断面図である。
【００７６】
図４に示すように、封止部材３の各突出部４ａ、５ａは好ましくは中空である。したがって、突出部４ａ、５ａはフランジ様リム２の材料で充填されておらず、壁厚ｔ２の輪郭によって形成されている。したがって、好ましくは各突出部４ａ、５ａはフランジ様リム２の下面２ｂに開かれた中空体を形成している。
【００７７】
絞りプロセスに起因して、フランジ様リム２の壁厚ｔ１は概して突出部４ａ、５ａの壁厚ｔ２よりもわずかに大きい場合があり、同じ理由で、壁厚ｔ１、ｔ２はカプセルの基部本体２の壁厚ｔｂよりも大きい場合がある。
【００７８】
専用飲料調製マシン２０の係合部材２１は、その中にカプセル基部本体１を受け入れるために本質的に中空の釣鐘状の係合部材であることが好ましい。カプセル１０が飲料調製マシン２０内に置かれると、係合部材２１は図４に示されるような専用の閉鎖力Ｆによってカプセル１０上に下ろされる。係合部材２１の封止面２１ａは、丸みを帯びた内周縁及び外周縁を有する環状下面であってもよい。前面２１ａは、好ましくは０．８〜１．２、より好ましくは０．９〜１．１ｍｍである半径方向厚さＤを含む。
【００７９】
封止部材３の内列及び外列４、５の突出部４ａ、５ａ間の環状空間部６は、飲料調製マシン２０のカプセル係合部材２１の封止面２１ａを受け入れるように設計されている。環状空間部６は、好ましくは、隣り合う突出部４ａ、５ａを相互接続する平坦な環状底面６ａを含む。環状底面６ａは、上述のように、それぞれ半径方向距離、厚さＤまで延びる。距離ｄは、係合部材２１の封止面２１ａの環状半径方向厚さＤに等しくなるように又はこれよりもわずかに小さくなるように選択されることが好ましい。好適な実施形態では、厚さｄは、封止面２１ａの環状半径方向厚さＤよりも０．１〜０．５、より好ましくは０．２〜０．３ｍｍ小さくなるように選択される。
【００８０】
環状空間部６は、底面６ａから隣り合う突出部４ａ、５ａの先端部分Ｃに向かって好ましくは広くなっている。このため、隣り合う突出部４ａ、５ａの基部部分Ｂの各上端部は、底面６ａにおける距離ｄよりも大きな半径方向距離ｄ１だけ離れていることが好ましい。距離ｄ１は、係合部材２１の封止面２１ａの半径方向厚さＤよりも０．２〜０．３ｍｍ大きくなるように選択されることが好ましい。
【００８１】
係合部材２１が閉鎖力Ｆによって図４に示される位置から封止部材３上に下ろされると、環状封止面２１ａは環状空間部６に係合し、それにより、封止面２１ａと封止部材３の隣り合う円弧状突出部４ａ、５ａとの間に流体密係合を設ける。
【００８２】
突出部４ａ、５ｂの周方向に重なる領域（図４）では、封止面２１の係合は、外列の突出部５ａの壁との外側封止面部分２１ａａの係合、及び内列の突出部４ａの壁との内側封止面部分２１ａｂの係合の両方によって完了してもよい。加えて、丸みを帯びた先端部分Ｃは、係合部材２１に対応して形成された環状受け入れ溝Ｅによって係合されてもよい。したがって、封止部材３と飲料調製マシンの封入部材２１との間の効果的な封止係合が得られる。
【００８３】
図５及び図６にそれぞれ示されるように、突出部の周方向に重なる領域以外の部分においては、係合部材２１の封止面の封止係合は、それぞれ内列の突出部４ａ（図５）又は外列の突出部５ａ（図６）とそれぞれ封止面部分２１ａｂ又は封止面部分２１ａａのうちの１つに限定されてもよい。閉鎖及び／又は抽出中、係合部材が圧力効果によりフランジ様リムに向かって移動すると、封止面部分２１ａａ、２１ａｂは突出部を変形させ、それに応じて突出部との接触表面積を増加させてもよい。
【００８４】
特に、図５に示すように、内列の突出部４ａに係合するのに適した係合部材２１の封止面部分２１ａｂの位置の半径ｒｅｉは、突出部４の外半径ｒ３よりも小さくなるように選択されることが好ましい。図６に示すように、内列の突出部５ａに係合するのに適した係合部材２１の封止面部分２１ａａの位置の半径ｒｅｅは、円弧状突出部５ａの半径方向拡張部の半径ｒ４よりも大きくなるように選択されることが好ましい。結果的に、封止部材３によって係合部材の封止面２１ａの全周に封止圧が作用され、それにより封止連続性が確保される。
【００８５】
閉鎖膜９は、環状底面２ｄ及び外側環状表面２ｂに対して封止されることが好ましい。好ましくは、内列４と外列５との間の環状底面２ｄは外側環状表面２ｂ及び／又は内側環状底面２ｄに対して高くなっても低くなってもいない。好ましくは、環状底面２ｄと外側環状表面２ｂは好ましくは実質的に整列している。
【００８６】
図４にも示されるように、閉鎖膜９は、フランジ様リムの表面２ｂの環状外側部分に接続されている。加えて、閉鎖膜９は、外側環状表面２ｂとカプセル基部本体１との間に配置された中間環状表面２ｄに接続されていてもよい。閉鎖膜９は、フランジ様リム２に封止されたアルミニウム箔であることが好ましい。
【００８７】
フランジ様リム２は、外周縁部２ｃに、本技術分野で周知のロールオーバー縁部１１を備えてもよい。
【図１ａ】
2020515475.tif 000003
【図１ｂ】
2020515475.tif 000004
【図２】
2020515475.tif 000005
【図３】
2020515475.tif 000006
【図４】
2020515475.tif 000007
【図５】
2020515475.tif 000008
【図６】
2020515475.tif 000009
【国際調査報告】
2020515475.tif 000010
2020515475.tif 000011
2020515475.tif 000012